(57)【特許請求の範囲】
【請求項１】
上側ケース（１０ａ）及び下側ケース（１０ｂ）が組み合って構成され、一方の側部（１１０ａ）と、この一方の側部に対する他方の側部（１１０ｂ）と、前記一方の側部に対する前記他方の側部の方向に直交する方向に位置する右側側部（１１０ｃ）、左側側部（１１０ｄ）とを有するケース（１０）と、
前記ケース内に配設されて、前記ケースの表側に位置する表示部（２０）と、
前記表示部と前記ケースの一方の側部との間に配設されるとともに音を前記ケースの表側に伝えるダクト部（４２）と、前記ケース内に配設されるとともに前記ケースの裏側に位置する発音体本体（４１）とを有する発音体（４０）と、
前記発音体本体に接続された電気配線（４３）とを備え、
前記発音体本体は、前記下側ケースの前記一方の側部側に形成された底壁（１１）により支持され、前記発音体本体と前記下側ケースとの間には空間が形成されており、この空間は、前記底壁から前記ケースの他方の側部に向けて延びており、
前記発音体本体には、前記電気配線と接続するための端子部（４１ｂ）が設けられ、前記端子部は、前記ケースの右側側部側と左側側部側のいずれか一方の側に向くように配置されて、前記電気配線が、前記発音体本体のうち前記ケースの一方の側部側と反対の端部（４４）より前記ケースの一方の側部側に接続され、かつ前記ケース内のうち前記右側側部側と前記左側側部側のいずれか一方の側に沿って配置されていることを特徴とする通信機器。
【請求項２】
前記ケース内に配設された基板（３０）を備え、前記表示部は、前記基板と前記上側ケースとの間に位置し、前記発音体本体は、前記基板と前記下側ケースとの間に位置していることを特徴とする請求項１に記載の通信機器。
【請求項３】
前記ダクトは、前記発音体本体から前記基板を通して前記ケースの表側に突出するように形成されていることを特徴とする請求項２に記載の通信機器。
【発明の詳細な説明】
【０００１】
【発明の属する技術分野】
本発明は、携帯電話等の持ち運び可能な通信機器に関する。
【０００２】
【従来の技術】
従来、小型通信機器（例えば、携帯電話）の受信部には、スピーカが使われている。スピーカは、通常、ホルダー（或いは、表側ケース）によって、内部基板（ケース内に配設された）のケース表側に実装されているものがある。
【０００３】
【発明が解決しようとする課題】
近年、通信機器の小型化が進んでいるが、一方で、表示部（例えば、液晶パネル）の拡大化の要望がある。ここで、通信機器の外形寸法は、スピーカ、表示部及び、操作部の大きさによってほぼ定まるが、操作部を小さくすることは、操作部への操作性の悪化を招くため困難である。このため、スピーカの実装スペースを小さくすることが課題になっている。
【０００４】
そこで、本発明者は、スピーカの実装スペースに着目して、表示部を拡大化しつつ通信機器を小型化することにつき検討した。すなわち、図６に示すように、ダクト部付スピ−カ１のダクト部１ｂをケース２の長手方向の一側部２ａと表示パネル３との間に配設し、スピ−カ本体１ａを内部基板（図示せず）と裏側ケース２ａとの間に配設して、ダクト部１ｂをスピ−カ本体１ａのうち一側部２ａ側に配設している。これにより、表示パネル３の拡大化に対応している。
【０００５】
しかして、ダクト部付スピ−カ１と内部基板との間を接続するワイヤーハーネス（電気配線）１ｃが採用され、このワイヤーハーネス１ｃを、スピ−カ本体１ａのうち、上記長手方向の一側部２ａ側と反対の端部１ｄ側に接続すると、ケース内のうち、スピ−カ本体１ａを基準として上記長手方向の一側部２ａ側と反対側のスペース４（図６中２点鎖線で示す）を有効に活用することができず、通信機器の外形寸法の増大化を招くといった問題がある。
【０００６】
そこで、本発明は、上記問題点に鑑み、通信機器の小型化を図ることを目的とする。
【０００７】
【課題を解決するための手段】
本発明は、上記目的を達成するために、請求項１に記載の発明では、上側ケース（１０ａ）及び下側ケース（１０ｂ）が組み合って構成され、一方の側部（１１０ａ）と、この一方の側部に対する他方の側部（１１０ｂ）と、一方の側部に対する他方の側部の方向に直交する方向に位置する右側側部（１１０ｃ）、左側側部（１１０ｄ）とを有するケース（１０）と、ケース内に配設されて、ケースの表側に位置する表示部（２０）と、表示部とケースの一方の側部との間に配設されるとともに音をケースの表側に伝えるダクト部（４２）と、ケース内に配設されるとともにケースの裏側に位置する発音体本体（４１）とを有する発音体（４０）と、発音体本体に接続された電気配線（４３）とを備え、発音体本体は、下側ケースの一方の側部側に形成された底壁（１１）により支持され、発音体本体と下側ケースとの間には空間が形成されており、この空間は、底壁からケースの他方の側部に向けて延びており、発音体本体には、電気配線と接続するための端子部（４１ｂ）が設けられ、端子部は、ケースの右側側部側と左側側部側のいずれか一方の側に向くように配置されて、電気配線が、発音体本体のうちケースの一方の側部側と反対の端部（４４）よりケースの一方の側部側に接続され、かつケース内のうち右側側部側と左側側部側のいずれか一方の側に沿って配置されていることを特徴とする。
【０００８】
これにより、ケース内で、発音体本体に対して一方の側部側と反対のスペースを、例えば、部品等の実装にあたり、活用することができるので、通信機器の小型化を図ることができる。
【０００９】
請求項２に記載の発明においては、ケース内に配設された基板（３０）を備え、表示部は、基板と上側ケースとの間に位置し、発音体本体は、基板と下側ケースとの間に位置していることを特徴とする。
【００１０】
これにより、ケース内で、基板と下側ケースとの間において、発音体本体に対して一方の側部側と反対側のスペースを、活用することができるので、通信機器の小型化を図ることができる。
【００１２】
この場合、請求項３に記載の発明のように、ダクトは、発音体本体から基板を通してケースの表側に突出するように形成することができる。
【００１５】
因みに、上記各手段の括弧内の符号は、後述する実施形態に記載の具体的手段との対応関係を示す一例である。
【００１６】
【発明の実施の形態】
以下、本発明を図に示す実施形態について説明する。図１、図２に本発明の実施形態を示す。図１は携帯電話を示す斜視図、図２は、図１中Ａ−Ａ断面図である。携帯電話は、図１に示すように、直方体ケース１０及び液晶パネル２０を有する。また、携帯電話には、図２に示すように、基板（プリント基板）３０、ダクト付スピーカ（発音体）４０、ダクト部用クッション部材（キャップ）５０、シールドケース６０、クッション部材７０及び防塵布８０が設けられている。
【００１７】
図１に示すように、ケース１０は、上側ケース１０ａ及び下側ケース１０ｂが組み合って構成されている。上側ケース１０ａには、貫通穴部１４が形成され、貫通穴部１４は、上側ケース１０ａの（長手方向の一方の側部）頂側部１１０ａ側に位置するとともにダクト付スピーカ４０に対向する。貫通穴部１４は、ダクト付スピーカ４０からの音（受話音）を上側ケース１０ａの外側に伝える役割を果たす。
【００１８】
因みに、上側ケース１０ａは、内壁１０３を有し、内壁１０３は、上壁１０２から下側ケース１０ｂ側に突出形成されている。内壁１０３は、貫通穴部１４よりケース１０の（長手方向一方の側部）の底側部１１０ｂ（図１参照）側に位置する。
【００１９】
下側ケース１０ｂには、水平状底壁１１と傾斜底壁１２とが形成されており、水平状底壁１１は、ケース１０の頂側部１１０ａ側に位置する。傾斜底壁１２は、水平状底壁１１に対して上側ケース１０ａからの寸法が大きくなる位置１１ａから当該寸法が大きくなるように上記長手方向の底側部１１０ｂに向けて傾斜状に形成されている。
【００２０】
液晶パネル２０は、図１に示すように、ケース１０内に収納されて、上側ケース１０ａの略四角形の透明パネル１３内に位置し、透明パネル１３は、上側ケース１０ａのうち貫通穴部１４に対して上記長手方向の底側部１１０ｂ側に位置する。
【００２１】
図２に示すように、基板３０は、ケース１０内に収納されたものであって、ケース１０の長手方向と略平行に配置されている。基板３０の上面３２には、上側ケース１０ａの内壁１０３の先端部１０３ａが当接する。これにより、基板３０は、上側ケース１０ａ及びその内壁１０３とともに空所９０を形成する。基板３０は、貫通穴３１を有し、貫通穴３１は、上側ケース１０ａの貫通穴部１４に対向する。なお、基板３０の上面３２には、液晶パネル２０が実装されている。
【００２２】
ダクト付スピーカ４０は、ケース１０内に収納されたものであって、頂側部１１０ａの近傍に位置する。ダクト付スピーカ４０は、図３及び図４に示すように、円板状スピーカ本体４１、２つの端子部４１ｂ、断面楕円形のダクト部４２から構成されている。スピーカ本体４１は、基板３０及び下側ケース１０ｂとの間に配置され、下側ケース１０ｂの水平状底壁１１に対向して、スピーカ本体４１は、基板３０、ひいてはケース１０の長手方向と略平行に配置されている。ダクト部４２は、スピーカ本体４１からの音を上側ケース１０ａの貫通穴１４側に伝える。なお、ダクト付スピーカ４０の詳細は後述する。
【００２３】
ダクト部用クッション部材（防音部材）５０は、空所９０内において上側ケース１０ａ及び基板３０の間に配置されている。ダクト部用クッション部材５０は、例えば、ゴム（エラストマ）製で、断面略楕円形の筒状に形成され、ダクト部用クッション部材５０は、ダクト付スピーカ４０のダクト部４２の側部４２ａ及び上部４２ｂを覆うとともに、ダクト部４２から上側ケース１０ａの貫通穴１４に連通する経路９１を形成する。ダクト部用クッション部材５０は、ダクト付スピーカ４０のダクト部４２からの音を上側ケース１０ａの貫通穴１４の外側に伝える役割を果たす。
【００２４】
シールドケース６０は、ダクト付スピーカ４０及び基板３０の間に配置され、シールドケース６０には、両面テープ６２によってダクト付スピーカ４０が取り付けられている。ここで、シールドケース６０は、基板３０に固定されているので、ダクト付スピーカ４０は、シールドケース６０を介して基板３０に搭載されていることになる。
【００２５】
クッション部材７０は、スポンジ製で半リング状に形成され、下側ケース１０ｂの水平状底壁１１及びダクト付スピーカ４０との間に配置されている。クッション部材７０は、ダクト付スピーカ４０を支持するとともに、ダクト付スピーカ４０を衝撃から保護する役割を果たす。なお、クッション部材７０は、下側ケース１０ｂの水平状底壁１１に両面テープによって固定されている。
【００２６】
以下に、本実施形態の特徴点につき図５を参照して説明する。図５は、ケース１０内におけるダクト付スピーカ４０の配置を示し、下側ケース１０の裏側から視た図である。
【００２７】
ダクト付スピーカ４０は、ケース内においてその長手方向の頂側部１１０ａ側に位置し、円板状スピーカ本体４１は、基板３０と下側ケース１０ｂとの間に配設されている。ダクト部４２は、ケース１０の頂側部１１０ａと液晶パネル２０との間に位置して、円板状スピーカ本体４１の上面４１ａから基板３０の貫通穴３１内を貫通して上側ケース１０ａの貫通穴部１４に向け突出形成されている。ダクト部４２は、円板状スピーカ本体４１の上面４１ａのうち、ケース１０の頂側部１１０ａ側に位置する。
【００２８】
ダクト付スピーカ４０の端子部４１ｂは、円板状スピーカ本体４１の側部４５に配設されたもので、円板状スピーカ本体４１のうち、図５に示すように、円板状スピーカ本体４１の側部４５からケースの右側側部１１０ｃ（図５参照）に向くように配置されている。
【００２９】
ここで、端子部４１ｂ及び基板３０の間には、ワイヤーハーネス４３が接続される。これにより、ワイヤーハーネス４３は、スピーカ本体４１のうち、底側部１１０ｂ側端部４４より頂側部１１０ａ側に接続されることになる。従って、ケース１０内におけるダクト付スピーカ４０に対して底側部１１０ｂ側のスペース１２０（図５中鎖線で示す）を、部品等の実装にあたり、有効に活用することができるので、携帯電話の外形寸法を小型にすることが可能になる。
【００３０】
なお、上記実施形態では、ダクト部４２を円板状スピーカ本体４１から基板３０を通すようにする為に、基板３０に貫通穴３１を形成した例につき説明したが、これに限らず、基板３０に切り欠き等を形成するようにしてもよい。
【００３１】
また、上記実施形態では、端子部４１ｂを、円板状スピーカ本体４１のうちケースの右側側部１１０ｃ側に配置した例につき説明したが、これに限らず、端子部４１ｂをケースの左側側部１１０ｄに向けて配置するようにしてもよく。
【００３２】
さらには、これに限らず、端子部４１ｂを、円板状スピーカ本体４１のうち基板３０側に配置してもよく、これに限らず、端子部４１ｂを、円板状スピーカ本体４１のうち頂側部１１０ａ側に配置してもよい。
【００３３】
なお、本発明の実施にあたり、スピーカ本体４１と基板３０との間に接続される電気配線としては、ワイヤーハーネス４３に限らず、フレキシブル（ＦＰＣ）を採用するようにしてもよい。さらに、スピーカ本体４１と基板３０とを半田付けして接続するようにしてもよい。
【００３４】
さらに、上記実施形態では、ダクト部４２をケース１０の長手方向の頂側部１１０ａと液晶パネル２０との間に配設した例につき説明したが、これに限らず、ダクト部４２を（ケース１０の長手方向と直交する方向に位置する）右側側部１１０ｃと液晶パネル２０との間に配設してもよい。この場合、端子部４１ｂを、円板状スピーカ本体４１のうち、左側側部１１０ｄ側の端部より右側側部１１０ｃ側に接続する。
【００３５】
さらに、これに限らず、ダクト部４２を（ケース１０の長手方向と直交する方向に位置する）左側側部１１０ｄと液晶パネル２０との間に配設してもよい。この場合、端子部４１ｂを、円板状スピーカ本体４１のうち、右側側部１１０ｃ側の端部より左側側部１１０ｄ側に接続する。
【００３６】
さらに、本発明の実施にあたり、携帯電話に限らず、ＰＨＳ、コードレス電話機、小型無線機、若しくは小型情報端末（モバイル機器）といった持ち運び可能な通信機器に適用してもよい。
【図面の簡単な説明】
【図１】本発明の実施形態の携帯電話を示す斜視図である。
【図２】図１中Ａ−Ａ断面図である。
【図３】図２に示すダクト付スピーカの斜視図である。
【図４】上記ダクト付スピーカ背面を示す斜視図である。
【図５】上記携帯電話の一部を背面から視た模式図である。
【図６】携帯電話一部を背面から視た模式図である。
【符号の説明】
１０…ケース、１０ａ…上側ケース、１０ｂ…下側ケース、
２０…液晶パネル、３０…基板、４１…スピーカ本体、４１ａ…表面、
４１ｂ…端子部、４２…ダクト部、４３…ワイヤーハーネス、
４４…スピーカ本体の底側部側端部、１１０ａ…頂側部、１１０ｂ…底側部。
【図１】
0003961177.tif 000002
【図２】
0003961177.tif 000003
【図３】
0003961177.tif 000004
【図４】
0003961177.tif 000005
【図５】
0003961177.tif 000006
【図６】
0003961177.tif 000007